(57)【特許請求の範囲】
【請求項１】
便器（８）、排出弁（５）、給水弁（６）、及び制御ユニット（４）を備える真空式トイレ・ユニットの前記便器を真空下水システムに連結するように構成された、衛生室（２０）用の衛生設備ユニットであり、前記便器（８）方向に向けられることが意図された第１の側部（２４）と、第１の側部と反対側の第２の側部（２５）であって点検スペース（５０）方向に向けられることが意図された第２の側部（２５）とを有する耐火性プレート（２）を備え、前記衛生室（２０）に、開口部（４０）を有する耐火性壁（３０）が設けられ、
前記真空式トイレ・ユニットの前記便器（８）が、前記開口部（４０）の方向に向けられ、且つ、前記衛生室（２０）の床上に取り付けられ、又は前記衛生室（２０）の前記耐火性壁（３０）に取り付けられ、前記耐火性壁（３０）の他方側には前記点検スペース（５０）が設けられ、前記耐火性プレート（２）が、排出連結部（３）を含み、該排出連結部（３）は前記耐火性プレート（２）を貫通し、前記耐火性プレート（２）の前記第１の側部（２４）に前記便器（８）と連結するための第１の端部（３１）と、前記耐火性プレート（２）の前記第２の側部（２５）に前記真空下水システムに連結するための第２の端部（３２）とを有し、前記給水弁（６）及び前記制御ユニット（４）が、前記耐火性プレート（２）に取り付けられた衛生設備ユニットであって、
前記耐火性プレート（２）が包囲フランジ（２３）を備え、前記耐火性プレート（２）が、前記衛生室（２０）と前記耐火性壁（３０）の外側の前記点検スペース（５０）との間に耐火性シールをもたらすために前記点検スペース（５０）側から前記包囲フランジ（２３）を前記耐火性壁（３０）へ固定することにより、前記耐火性壁（３０）の前記開口部（４０）に取り付けられるように構成されること、及び前記耐火性プレート（２）が、前記点検スペース（５０）から前記真空式トイレ・ユニットへのアクセスを提供するために、前記開口部（４０）から取り外されるように構成されることを特徴とする衛生設備ユニット。
【請求項２】
前記排出弁（５）が、前記耐火性プレート（２）の前記第１の側部（２４）の前記排出連結部（３）に取り付けられること、及び前記排出連結部（３）が、鋼又は他の耐火性材料から製造され、前記耐火性プレート（２）の一体型部分を形成することを特徴とする、請求項１に記載の衛生設備ユニット。
【請求項３】
前記排出弁（５）が、前記耐火性プレート（２）の前記第２の側部（２５）の前記排出連結部（３）に取り付けられること、及び前記排出連結部（３）が、鋼又は他の耐火性材料から製造され、前記耐火性プレート（２）の一体型部分を形成することを特徴とする、請求項１に記載の衛生設備ユニット。
【請求項４】
前記給水弁が、前記耐火性プレートの前記第１の側部に取り付けられることを特徴とする、請求項１に記載の衛生設備ユニット。
【請求項５】
前記給水弁（６）が、前記耐火性プレート（２）の前記第２の側部（２５）に取り付けられること、前記耐火性プレート（２）が、前記耐火性プレート（２）を貫通する給水連結部（６１）を含むこと、及び前記給水連結部（６１）が、鋼又は他の耐火性材料から製造され、前記耐火性プレート（２）の一体型部分を形成することを特徴とする、請求項１に記載の衛生設備ユニット。
【請求項６】
前記制御ユニットが、前記耐火性プレートの前記第１の側部に取り付けられることを特徴とする、請求項１に記載の衛生設備ユニット。
【請求項７】
前記制御ユニット（４）が、前記耐火性プレート（２）の前記第２の側部（２５）に取り付けられることを特徴とする、請求項１に記載の衛生設備ユニット。
【請求項８】
前記耐火性プレートが、前記耐火性プレート（２）を貫通する真空連結部（７１、７２）を含むこと、及び前記真空連結部（７１、７２）が、鋼又は他の耐火性材料から製造され、前記耐火性プレート（２）の一体型部分を形成することを特徴とする、請求項１に記載の衛生設備ユニット。
【請求項９】
前記耐火性プレート（２）が、耐火性の絶縁体（２２）が設けられたソリッド・スチール・プレート（２１）を備えることを特徴とする、請求項１に記載の衛生設備ユニット。
【発明の詳細な説明】
【技術分野】
【０００１】
本発明は、便器、排出弁、給水弁、及び制御ユニットを備える真空式トイレ・ユニットの便器を真空下水システムに連結するように構成された、衛生室用の衛生設備ユニットであって、便器側に取り付けられることが意図された第１の側部と、第１の側部と反対側の第２の側部とを有する耐火性プレートを備え、衛生室に請求項１のプリアンブルに記載の耐火性壁が設けられる衛生設備ユニットに関する。
【背景技術】
【０００２】
特に艦船などの船舶、石油掘削装置、飛行機、電車などにある衛生室に関連すると、真空式トイレ・ユニットの便器は、通常、衛生室又は衛生スペースの壁に対して取り付けられている。排出弁、給水弁、及び制御ユニットなどの真空式トイレ・ユニットの必須の構成要素は、しばしば、便器（衛生室の側部にある）を取り囲むシェル内に取り付けられ、それにより、前記衛生室又は衛生スペースの外側の点検スペースから保守点検、修理、又は交換の目的でこれらの構成要素に対してアクセス及び連結を実現するために、開口部が壁内に設けられている。
【０００３】
そのような船舶は、通常、防火安全規則（ｆｉｒｅ  ｓａｆｅｔｙ  ｒｅｇｕｌａｔｉｏｎｓ）の対象となっているため、そのような船舶の衛生室と点検スペース及び他の隣り合う領域との間の開口部がリスクとなる。壁（この場合、壁は通常耐火性である）の（衛生室と反対側の）背面に固定されたエンクロージャ又はハウジングのような別個の箱が、使用されている。しかし、これらは追加のスペースを必要とし、このスペースはそのような船舶においては供給が限定される。さらに、上記で述べた構成要素に関連するすべての種類の測定を可能にするために、エンクロージャの全体を取り外し、元に戻す必要がある。
【発明の概要】
【発明が解決しようとする課題】
【０００４】
本発明の目的は、上記で述べた問題を回避し、適切な耐火性も確保する容易に取り付け可能な実用的なユニットを提供する、衛生設備ユニットを提供することである。これらの目的は、請求項１に記載の衛生設備ユニットによって達成される。
【課題を解決するための手段】
【０００５】
本発明の基本的な概念は、耐火性クロージャを衛生室の壁の開口部に設けることであり、このクロージャはまた、真空式トイレ・ユニットの必須の構成要素の少なくともいくつか及びそれらに関連する連結に対する支持をもたらすことができる。この趣旨で、衛生設備ユニットの耐火性プレートは、耐火性プレートを貫通し、耐火性プレートの第１の側部に第１の端部と、耐火性プレートの第２の側部に第２の端部とを有する排出連結部を含む。給水弁及び制御ユニットもまた、耐火性プレートに取り付けられる。
【０００６】
衛生室は、たとえばキャビン、セパレート型の浴室若しくはトイレ、或いは他の対応するスペースとして理解されよう。真空式トイレ・ユニット及び便器は、男性用小便器なども含むものとして理解されよう。
【０００７】
有利には、排出弁、給水弁及び制御ユニットは、現行の状況及び対象となる真空下水システムに対して適切であると見出されるように、耐火性プレートの第１の側部又は第２の側部に取り付けることができる。実際に、これは、適切な連結部を有するほとんどすべての必須の構成要素、すなわち排出弁、給水弁、及び制御ユニットが、一緒になって、取り付け、保守点検、及び交換を容易に行える小型の交換セットを形成することができることを意味する。
【０００８】
前記構成要素が耐火性プレートのどちらの側部に取り付けられるかによって、給水連結及び真空連結などの適切な連結が行われる必要があり、必要な場合には、耐火性プレートを貫通させる必要もある。有利には、耐火性プレートを貫通する連結部は、鋼又は他の耐火性材料のものであり、耐火性プレートの一体型又は固定された部分を形成する。
【０００９】
耐火性プレートの第２の側部に前記構成要素の１つ又は複数を配置することにより、前記１つ又は複数の構成要素は、衛生室における火事の場合に耐火性プレートの保護という点から利益を得ることができる。さらに、これにより、耐火性プレートを取り外すことなく、前記構成要素に対する直接的なアクセスを提供する。
【００１０】
有利には、耐火性プレートは、耐火性の絶縁体が設けられたソリッド・スチール・プレートを含む。これにより、簡単で低コストの製造が実現する。当然ながら、プレートは、それ自体に適切な剛性及び耐火性をもたらす任意の他の対応する材料のものでもよい。
【００１１】
耐火性プレートが衛生室と衛生室の耐火性壁の外側の点検スペースとの間に耐火性シールをもたらすために前記開口部を閉じるように設けられるという点において、耐火性プレートを含む衛生設備ユニットは、衛生室の耐火性壁の開口部に取り付けられるという有利な構成を提供する。好ましくは、真空式トイレ・ユニットの便器は、衛生室の床上に且つ前記開口部に対して、又は衛生室の耐火性壁に且つ前記開口部に対して取り付けられるように構成され、それにより、前記開口部は、点検スペースから真空式トイレ・ユニットへのアクセスを提供するように構成されている。
【００１２】
本発明のさらなる有利な特徴が、請求項２から１１において提供される。
【００１３】
以下では、添付の概略図を参照して、例としてのみ本発明を説明する。
【図面の簡単な説明】
【００１４】
【図１】本発明の実施例を示す図である。
【図２】衛生室の壁に取り付けられた図１の実施例を示す図である。
【図３】本発明の別の実施例を示す図である。
【発明を実施するための形態】
【００１５】
本発明は、便器８（図２）、排出弁５、給水弁６、及び制御ユニット４を備える真空式トイレ・ユニットに関連して使用されることが意図された衛生設備ユニット１に関する。真空式トイレ・ユニットは、船舶内で使用することが意図され、前記船舶内の衛生室内に取り付けられる。本発明を電車、ビルなどの陸上の施設でも適用することができ、それによって同じ利益が達成されることは明白である。
【００１６】
真空式トイレ・ユニットを含む真空下水システムの機能及び作動は、当業者によって知られていると考えるため、この関連において詳細には説明しない。
【００１７】
図１は、衛生設備ユニットの全体を参照番号１で示す本発明の実施例を示す。衛生設備ユニット１は、この実施例では耐火性の絶縁体２２が設けられた金属プレート２１として例示する耐火性プレート２を備える。プレートは包囲フランジ２３を有し、該包囲フランジ２３は、図２に関連して以下でさらに詳細に説明するように、プレート２を耐火性壁又は他の支持体にて固定することができる。耐火性プレート２は、便器８（図２）側に取り付けられることが意図された第１の側部２４と、第１の側部２４と反対側の第２の側部２５とを有する。さらに、耐火性プレート２は、耐火性プレートを貫通し、耐火性プレート２の第１の側部２４に第１の端部３１と、耐火性プレート２の第２の側部２５に第２の端部３２とを有する排出連結部３を含む。排出連結部３は、鋼又は他の耐火性材料から製造され、耐火性プレート２の一体型又は固定された部分を形成する。
【００１８】
この実施例では、排出弁５は、耐火性プレート２の第１の側部２４の排出連結部３に取り付けられる。給水弁６及び制御ユニット４は、耐火性プレート２の第２の側部２５の耐火性プレート２に取り付けられる。
【００１９】
真空式設備ユニット１には、排出連結部３を（ブロック体の矢印で示す）下水の流れ方向において排出弁５の二次側から制御ユニット４に連結する第１の真空連結部７１と、制御ユニット４を排出弁５に連結する第２の真空連結部７２とが設けられる。この実施例における制御ユニット４及び排出弁５は、耐火性プレート２の両側にあるため、第１の真空連結部７１及び第２の真空連結部７２は、耐火性プレート２を貫通している。耐火性プレートを貫通する真空連結部は、鋼又は他の耐火性材料から製造され、耐火性プレートの一体型又は固定された部分を形成する。
【００２０】
この実施例における排出弁５は、真空作動式の排出弁であり、それにより、必要な真空が（ブロック体の矢印で示す）下水の流れ方向において排出弁５のすぐ二次側から引き出され、制御ユニット４に送られ、次いで制御ユニット４は、洗浄シーケンスが開始されたとき、排出弁５を開弁させるために前記真空を排出弁５に導く。制御ユニット４には、起動手段（図示せず）が設けられる。
【００２１】
第３の真空連結部７３が、制御ユニット４と給水弁６の間に設けられる。さらに、真空式設備ユニット２には、給水弁６と便器８（図２）の間の給水連結部６１が設けられ、給水連結部６１は、この実施例の給水弁６及び便器が耐火性プレート２の両側にあるため、耐火性プレート２を貫通している。耐火性プレートを貫通する給水連結部は、鋼又は他の耐火性材料から製造され、耐火性プレートの一体型又は固定された部分を形成する。
【００２２】
（上記で論じた）制御ユニット４において利用可能な真空は、給水弁６を作動させるのにも使用される。
【００２３】
図２は、衛生設備ユニット１の図１の実施例を示しており、衛生設備ユニット１は、衛生室２０の耐火性壁３０の開口部４０内に取り付けられている。衛生室２０の耐火性壁３０の他方側、すなわち外側には、参照番号５０で示す点検スペースが存在する。さらに、図１に関連して対応する要素に対して同じ参照番号を使用しており、この関連においては詳細には説明しない。
【００２４】
さらに、給水弁６からの給水連結部６１は、耐火性プレート２を貫通するように、また、封水（ｂａｓｅ  ｗａｔｅｒ）及び洗浄水（ｆｌｕｓｈ  ｗａｔｅｒ）を便器８に供給するために便器８に連結して配置された配水手段６２に連結するように示されている。さらに、便器８は、シェル９によって取り囲まれ、蓋１０が設けられるように示されている。排出連結部３の第１の端部３１には、便器８の出口８１に連結するためのアダプタ手段３３が設けられる。排出連結部３の第２の端部３２は、真空下水システムの真空下水管に連結されるように構成される。それ自体知られているように、真空下水システム用の真空は、真空生成手段によって生成される。下水の流れ方向は、ブロック形の矢印によって示す。
【００２５】
耐火性プレート２及び耐火性の絶縁体２２は、衛生設備ユニット１が耐火性壁３０の開口部４０内に取り付けられるとき、衛生設備ユニット１が衛生室２０と耐火性壁３０の他方側の点検スペース５０との間にシールされた耐火性壁３０を提供するように寸法決めされる。耐火性プレート２は、包囲フランジ２３内に配置された、たとえばボルト又はねじ（図示せず）によって耐火性壁３０に固定することができる。
【００２６】
図２に示す設備では、制御ユニット４及び給水弁６に対する保守点検、修理、又は交換などの任意の必要な対策を、衛生設備ユニット１を取り外すことなく実施することができる。たとえば、排出弁５が点検又は交換される必要がある場合、耐火性プレート２を外し、耐火性壁３０の開口部４０から取り除くことができ、それにより、給水連結部６１を配水手段６２から、及びアダプタ手段３３を便器８の出口８１から取り外すことによって耐火性プレート２、排出連結部３、制御ユニット４、排出弁５、給水弁６及び個々の連結部を含む一式又はモジュール部を容易に取り出すことができる。新しいモジュール部、又は点検され、修理され、若しくは交換された部品を有するモジュール部は、対応する方法で同じように容易に再取り付けを行うことができる。
【００２７】
図３は、本発明の別の実施例を示している。この実施例では、図１の実施例の対応する要素に対して同じ参照番号を使用しており、そのためこの関連においては詳細には説明しない。
【００２８】
主な相違は、排出弁５が排出連結部３の第２の端部３２に取り付けられる、すなわち、排出弁５が、耐火性プレート２の第２の側部２５に配置されることである。これはまた、排出連結部３と制御ユニット４の間の第１の真空連結部７１並びに制御ユニット４と排出弁５の間の第２の真空連結部７２が、耐火性プレート２を貫通しないことを意味する。しかし、第１の真空連結部７１もまた、図１に関連して説明したように、（ブロック形の矢印で示す）下水の流れ方向において排出弁５の二次側の排出連結部３に連結される。
【００２９】
この実施例は、耐火性プレート２を取り外すことなく、排出弁５及びその連結部に対するアクセスを提供する。他の点では、設備の原理は、図２に関連して説明したものと一致している。これはまた、構成要素及びそれらの個々の連結部の構成に加えられる他のすべての改変にもあてはまる。
【００３０】
真空式設備ユニット１の基本的な目的は、真空式トイレ・ユニット（の開口部）の位置において、衛生室と外側の点検スペースの間の耐火絶縁体として機能すること、真空式トイレ・ユニットの構成要素の支持体として機能すること、真空式トイレ・ユニットの取り付けに必要とされる適切な連結に対する支持体及びリードスルー（ｌｅａｄ−ｔｈｒｏｕｇｈ）として機能することである。
【００３１】
本説明及び図は、本発明の基本的概念を明確にすることを意図するにすぎない。このため、耐火性プレートに関連する様々な構成要素及びそれらの個々の連結部の構成を所望に応じて選択することができる。排出弁は、たとえば電気式ディスク弁でもよい。したがって、本発明は、以下の特許請求の範囲内で多様であることができる。
【図１】
0005453088.tif 000002
【図２】
0005453088.tif 000003
【図３】
0005453088.tif 000004